(57)【要約】【課題】    集塵袋本体内に捕集された塵埃から生じる異臭や雑菌の繁殖を防止し、集塵袋本体を清潔にすることができる電気掃除機用集塵袋を提供すること。【解決手段】吸込口４１が形成された通気性を有する集塵袋本体４２を備え、この集塵袋本体４２を電気掃除機１０に装着して吸込口４１から塵埃を捕集する電気掃除機用集塵袋４０であって、集塵袋本体４２の内面４２ｂに光触媒処理（光触媒層）Ｈを施すとともに、この集塵袋本体４２に光を透過させる透光部４４を設けた。【選択図】  図４
2006043236.tif 000002
【特許請求の範囲】
【請求項１】
吸込口が形成された通気性を有する集塵袋本体を備え、該集塵袋本体を電気掃除機に装着して前記吸込口から塵埃を捕集する電気掃除機用集塵袋であって、
前記集塵袋本体の内面に光触媒処理を施すとともに、該集塵袋本体に光を透過させる透光部を設けたことを特徴とする電気掃除機用集塵袋。
【請求項２】
前記集塵袋本体は使い捨ての紙フィルタによって形成したことを特徴とする請求項１記載の電気掃除機用集塵袋。
【請求項３】
掃除機本体の集塵室内に請求項１又は２に記載の電気掃除機用集塵袋を装着するとともに、前記掃除機本体に前記電気掃除機用集塵袋に設けられた透光部に対向する光透過部を形成したことを特徴とする電気掃除機。
【発明の詳細な説明】
【技術分野】
【０００１】
本発明は、電気掃除機に装着して吸い込んだ塵埃を捕集する電気掃除機用集塵袋及びこの集塵袋を装着した電気掃除機に関する発明である。
【背景技術】
【０００２】
従来の電気掃除機用集塵袋（以下、集塵袋という）としては、内側あるいは外側の一部またはすべてに光触媒処理を施すと共に、この光触媒処理を施した部分に集塵室内に設けた紫外線ランプから紫外線を照射するものが知られている（特許文献１参照）。
【０００３】
このような集塵袋では、紫外線照射による光触媒の酸化還元反応により雑菌の繁殖を防止して集塵室内の衛生化を図るようにしている。
【特許文献１】特開２００１−３７０号公報
【発明の開示】
【発明が解決しようとする課題】
【０００４】
しかしながら、上述の集塵袋では、集塵袋の内側に光触媒処理を施した場合であっても、この光触媒処理を施した部分に紫外線を十分照射することが難しく、この集塵袋に捕集された塵埃から発せられる悪臭や、集塵袋内で繁殖した雑菌を十分に抑制することが難しかった。そして、電気掃除機から排出される排気に異臭がするという問題も生じていた。
【０００５】
また、集塵袋を廃棄する際にも、この集塵袋内の雑菌が手や集塵室内に付着することがあった。
【０００６】
そこで、この発明は、集塵袋本体内に捕集された塵埃から生じる異臭や雑菌の繁殖を抑制し、集塵袋本体の内部を清潔にすることができる電気掃除機用集塵袋を提供することを目的としている。
【課題を解決するための手段】
【０００７】
上記課題を解決するために、この発明は、吸込口が形成された通気性を有する集塵袋本体を備え、この集塵袋本体を電気掃除機に装着して吸込口から塵埃を捕集する電気掃除機用集塵袋であって、集塵袋本体の内面に光触媒処理を施すとともに、この集塵袋本体に光を透過させる透光部を設けたことを特徴としている。
【発明の効果】
【０００８】
本発明の電気掃除機用集塵袋によれば、内面に光触媒処理を施した集塵袋本体に透光部を設けたので、この透光部から入射する紫外線を集塵袋本体の内面に十分に照射することができる。そのため、集塵袋本体の内面に施した光触媒が活性化し、脱臭や殺菌といった光触媒効果を十分に得ることができる。
【０００９】
そして、集塵袋本体内に捕集された塵埃から生じる異臭や雑菌の繁殖を抑制し、集塵袋本体の内部を清潔にすることができる。
【発明を実施するための最良の形態】
【００１０】
次に、図面に基づいて、この発明を実施するための最良の実施の形態の電気掃除機用集塵袋（以下、集塵袋という）及びこの集塵袋を装着した電気掃除機を説明する。
【００１１】
図１に示す電気掃除機１０は、掃除機本体１１と、この掃除機本体１１の前部のホース接続口２１ａ（図２参照）に一端が着脱可能に接続された集塵ホース１２と、この集塵ホース１２の他端の手元操作パイプ１３に着脱自在に接続された延長管１４と、この延長管１４の先端に着脱自在に接続された吸込口体１５とを備えている。
【００１２】
また、図１において、１３ａは手元操作パイプ１３に設けられた操作パネルである。この操作パネル１３ａには、「弱／中」吸込風量切り替え用のスイッチＳ１と、「強」吸込風量用のスイッチＳ２と、「切り」用のスイッチＳ３等が設けられている。
【００１３】
掃除機本体１１は、図２に示すように、本体ケース２０と、この本体ケース２０の上部にヒンジ結合されて上下方向に開閉自在にされた蓋体３０とを有している。
【００１４】
本体ケース２０の前部には、上方に開放した開口を有すると共に、集塵ホース１２に連通する接続口２１ａを有した内部空間である集塵室（集塵部）２１が形成されている。また、本体ケース２０の後部には、集塵室２１に連通すると共に、この集塵室２１に吸込負圧を作用させる電動送風機２２が内蔵された内部空間である電動機室（図示せず）が形成されている。
【００１５】
なお、この集塵室２１及び電動送風機２２は、掃除機本体１１の接続口２１ａと図示しない掃除機本体１１の排気孔（図示せず）とを連通する連通風路の内部に設けられている。
【００１６】
さらに、本体ケース２０の側面には一対の車輪２３（他方、図示せず）が設けられ、底面には旋回輪ＳＲが設けられている（図２参照）。
【００１７】
そして、集塵室２１内には集塵袋４０が装着されている。吸込口体１５から延長管１４、集塵ホース１２等を介して吸い込まれる塵埃は、この集塵袋４０内に捕集されるようになっている。
【００１８】
集塵袋４０は、図３に示すように、吸込口４１が形成された集塵袋本体４２を備えている。なお、吸込口４１は、集塵袋本体４２に取り付けられた口紙４３を貫通して形成されている。
【００１９】
口紙４３は、厚紙等によって形成されており、集塵室２１内の図示しない保持部材に保持されて、吸込口４１と掃除機本体１１の接続口２１ａとを対向させた状態で集塵袋４０を集塵室２１内に固定するものである。
【００２０】
集塵袋本体４２は、通気性を有する使い捨ての紙フィルタによって形成された、いわゆる紙パックフィルタである。そして、この集塵袋本体４２を集塵室２１内に装着した際に上側に位置する上面４２ａには、光（紫外線）を透過させることができる透光部４４が設けられている。
【００２１】
また、この集塵袋本体４２の内面４２ｂには、図４に示すように、光触媒処理が施されている。ここで、「光触媒処理」とは、光触媒物質の粒子を紙フィルタに吹き付け等して付着させたり、紙フィルタを形成する際に光触媒繊維を織り交ぜたりすることである。なお、ここでは、集塵袋本体４２の内面４２ｂに光触媒物質の粒子を付着させることにより光触媒層Ｈを設けている。
【００２２】
透光部４４は、集塵袋本体４２の上面４２ａの一部をナイロンやポリエステル等の透明な樹脂繊維によって構成することで形成されている。なお、この透光部４４の内面に光触媒処理は施していない。
【００２３】
蓋体３０は、集塵室２１の上方に開放した開口を覆うように集塵室２１の上側に設けられている。また、この蓋体３０には、前方に突出する把持部３０ａ（図１参照）が設けられている。
【００２４】
さらに、蓋体３０には、掃除機本体１１に形成された内部空間である集塵室２１に臨む部分に窓部（光透過部）３１が形成されている（図１及び図２参照）。この窓部３１は蓋体３０に形成された開口である。
【００２５】
蓋体３０には、図２に示すように、外側に透明な窓カバー３２が着脱自在に設けられており、この窓カバー３２が蓋体３０の窓部３１を覆っていて、窓部３１に直接窓カバーを設けた場合と実質的に同一となっている。また、この窓カバー３２は透明であるので、光（紫外線）を透過することができるようになっている。
【００２６】
そして、集塵袋４０を集塵室２１内に装着した場合、図１及び図２に示すように、集塵袋４０の透光部４４と、蓋体３０の窓部３１とが対向するようになっている。
【００２７】
次に、この発明の電気掃除機１０の作用について説明する。
【００２８】
この電気掃除機１０を使用するには、まず、手元操作パイプ１３に設けられたスイッチＳ１又はＳ２を入れ、電動送風機２２を駆動させる。電動送風機２２が駆動すると吸込負圧が発生し、集塵室２１、集塵ホース１２、手元操作パイプ１３、延長管１４を順に介して吸込口体１５の吸込室（図示せず）に吸込負圧が作用する。
【００２９】
そして、この吸込負圧によって吸込口体１５の底面に設けた吸込室の吸込開口から被清掃面上の塵埃及び空気が吸い込まれ、延長管１４、手元操作パイプ１３、集塵ホース１２を介して掃除機本体１１の集塵室２１へ吸い込まれていく。
【００３０】
集塵室２１へ吸い込まれた塵埃は、集塵室２１内に配設された集塵袋４０の吸込口４１から集塵袋本体４２内に捕集される。一方、集塵室２１へ吸い込まれた空気は、集塵袋４０を通過して電動機室内の電動送風機２２に吸い込まれた後に掃除機本体１１の図示しない排気孔から排気される。
【００３１】
また、集塵袋本体４２内には、塵埃や空気と共に雑菌等が流れ込み、この集塵袋本体４２の内部からアンモニア、アセトアルデヒド等の臭気成分を発散する。
【００３２】
一方、電気掃除機１０の外部から窓部３１に入射する光（紫外線）は、窓部３１を覆う窓カバー３２を透過して透光部４４に入射し、集塵袋本体４２の内部を照射する。
【００３３】
そのため、集塵袋本体４２の内部から生じる臭気成分は、集塵袋本体４２の内面４２ｂに設けられた光触媒層Ｈによって分解され、脱臭される。また、雑菌自体もこの光触媒層Ｈによって殺菌、分解される。
【００３４】
なお、光触媒層Ｈによって臭気成分等が分解、脱臭される仕組みは以下のとおりである。
【００３５】
光触媒層Ｈを構成する光触媒物質は、例えば二酸化チタン（ＴＩＯ２）である。
【００３６】
この二酸化チタンは、光（紫外線）が当たると、その表面から電子が飛び出して、正孔（ホール）と呼ばれるプラスの電荷を帯びた孔が形成される。この正孔は強い酸化力を持っており、電気的に安定になろうとして周囲にある有機物から電子を奪う。
【００３７】
このように二酸化チタンの強力な酸化還元作用によって電子を奪われた有機物は分解され、最終的には二酸化炭素や水等になり大気中に発散することとなる。
【００３８】
そして、この電気掃除機１０に装着した集塵袋４０は、集塵袋本体４２の内面４２ｂに光触媒層Ｈを設けるとともに透光部４４を設けているので、この透光部４４から入射する光（紫外線）を集塵袋本体４２の内面４２ｂの光触媒層Ｈに十分に照射することができる。そのため、光触媒層Ｈが活性化し、脱臭や殺菌といった光触媒効果を十分に得ることができる。
【００３９】
そして、集塵袋本体４２内に捕集された塵埃から生じる異臭や雑菌の繁殖を防止し、集塵袋本体４２の内部を清潔にすることができる。
【００４０】
また、集塵袋４０を廃棄する場合に、手や集塵室２１内に雑菌が付着しにくくなり、この集塵袋４０を衛生的に廃棄することができる。
【００４１】
また、集塵袋本体４２内の異臭や雑菌の繁殖を抑制することによって、電気掃除機１０を使用する際に排出される排気の異臭が抑制され、掃除を快適に行うことができる。さらに、この排気に含まれる雑菌も減少し、使用者の健康にもよい。
【００４２】
そして、電気掃除機１０を使用していないときであっても、この電気掃除機１０から生じる異臭を抑制することが可能となる。
【００４３】
さらに、掃除機本体１１の蓋体３０には、光を透過させる窓部３１を形成し、この窓部３１を集塵袋本体４２の透光部４４に対向させている。そのため、集塵袋本体４２内面４２ｂの光触媒層Ｈは、窓部３１から入射する外光に十分当たることができ、高い光触媒効果を得ることができる。
【００４４】
また、光を透過することができる窓部３１及び透光部４４を介して、電気掃除機１０の外部から集塵袋本体４２の内部を目視することができ、集塵袋４０の塵埃の捕集状態を容易に確認することもできる。
【００４５】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００４６】
例えば、上述の実施の形態では、透光部４４が透明な樹脂繊維で形成されているが、この透光部４４を、図４（ｂ）に示すように、通気性を有さない透明フィルム４６によって集塵袋本体４２の上面４２ａに形成された開口部４５を閉成することで構成してもよい。
【００４７】
この場合、透明フィルム４６が空気を通過させないので、透光部４４に塵埃が付着しにくくなり、塵埃によって透光部４４を透過する光が遮断されることを防止できる。そのため、集塵袋本体４２の内面４２ｂの光触媒層Ｈに十分紫外線を照射することができ、光触媒効果を長期間にわたって得ることができる。
【００４８】
また、上述の実施の形態では、集塵袋本体４２が使い捨ての紙フィルタによって形成されているが、この集塵袋本体４２の全体をポリエステル等の透明な合成樹脂繊維によって形成してもよい。なお、このとき集塵袋本体の内面に施される光触媒処理に使用される光触媒物質も透明なものである方が好ましい。
【００４９】
この場合では、集塵袋本体の全体が光を透過する透光部となり、光触媒処理を施した内面に多量の紫外線を照射することができる。そのため、非常に高い光触媒効果を得ることが可能となる。また、集塵袋本体が合成樹脂繊維で形成されているため、この集塵袋を繰り返し使用することもできる。
【００５０】
さらに、透光部４４及び光透過部は、光（紫外線）を透過すればよいので、透明に限らず半透明であってもよい。この場合、集塵袋に捕集された塵埃が掃除機本体１０の外部から直接見えにくくなり、見映えが向上する。
【００５１】
以上説明したように、この発明では、吸込口４１が形成された通気性を有する集塵袋本体４２を備え、この集塵袋本体４２を電気掃除機１０に装着して吸込口４１から塵埃を捕集する集塵袋４０であって、集塵袋本体４２の内面４２ｂに光触媒処理（光触媒層Ｈ）を施すとともに、この集塵袋本体４２に光を透過させる透光部４４を設けた。
【００５２】
これにより、透光部４４から入射する光（紫外線）を集塵袋本体４２の内面４２ｂの光触媒層Ｈに十分に照射することができ、この光触媒層Ｈを十分に活性化して脱臭や殺菌といった光触媒効果を十分に得ることができる。
【００５３】
そして、集塵袋本体４２内に捕集された塵埃から生じる異臭や雑菌の繁殖を防止し、集塵袋本体４２の内部を清潔にすることができる。
【００５４】
また、集塵袋本体４２は使い捨ての紙フィルタによって形成している。これにより、低コストで高い脱臭、殺菌効果を得ることができる集塵袋４０を提供することが可能となる。
【００５５】
さらに、掃除機本体１１の集塵室２１内にこの発明の集塵袋４０を装着するとともに、掃除機本体１１にこの発明の集塵袋４０に設けられた透光部４４に対向する窓部（光透過部）３１を形成した。
【００５６】
これにより、集塵袋本体４２内面４２ｂの光触媒層Ｈに窓部３１から入射する外光を十分当てることができ、高い光触媒効果を得ることができる。そして、集塵袋本体４２の内部を清潔にすることができる。
【図面の簡単な説明】
【００５７】
【図１】この発明にかかる電気掃除機の全体を示す斜視図である。
【図２】図１に示す掃除機本体の一部を断面にした側面図である。
【図３】この発明にかかる電気掃除機用集塵袋の全体を示す斜視図である。
【図４】（ａ）は図３におけるＡ−Ａ断面図であり、（ｂ）はこの発明にかかる電気掃除機用集塵袋の他の例の断面図である。
【符号の説明】
【００５８】
４０      集塵袋
４１      吸込口
４２      集塵袋本体
４２ｂ    内面
４４      透光部
Ｈ        光触媒層（光触媒処理）
【図１】
2006043236.tif 000003
【図２】
2006043236.tif 000004
【図３】
2006043236.tif 000005
【図４】
2006043236.tif 000006